(57)【要約】  本発明は、アンカーのハンドオーバー方法及びデバイスを開示し、該方法は、ターゲット基地局は、ソース基地局より送信されたアンカーハンドオーバー要求メッセージを受信することと、該ターゲット基地局は、該ソース基地局にアンカーハンドオーバー確認メッセージを送信することと、を含み、ここで、該ソース基地局は、現在、端末にサービスを提供する、制御決定権を有するサービスセルに対応する基地局であり、該ターゲット基地局は、該サービスセルにより制御される、現在、該端末にサービスを提供するセカンダリセルに対応する基地局であり、該アンカーハンドオーバー要求メッセージは、制御決定権を該ターゲット基地局に切り替えるように要求するために用いられ、該アンカーハンドオーバー確認メッセージは、該アンカーハンドオーバー要求メッセージを確認するために用いられる。本発明におけるアンカーのハンドオーバー方法において、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
2018536321.tif 000002
【特許請求の範囲】
【請求項１】
アンカーのハンドオーバー方法であって、
ターゲット基地局は、ソース基地局より送信されたアンカーハンドオーバー要求メッセージを受信することと、
前記ターゲット基地局は、前記ソース基地局にアンカーハンドオーバー確認メッセージを送信することと、を含み、
ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局であり、前記アンカーハンドオーバー要求メッセージは、制御決定権を前記ターゲット基地局に切り替えることを要求するように用いられ、前記アンカーハンドオーバー確認メッセージは、前記アンカーハンドオーバー要求メッセージを確認するように用いられる、
ことを特徴とする前記アンカーのハンドオーバー方法。
【請求項２】
前記ターゲット基地局は、前記端末と無線リソース制御（ＲＲＣ）接続制御リンクを確立することと、
前記ターゲット基地局は、前記端末に非アクティブメッセージを送信することと、をさらに含み、
前記非アクティブメッセージは、前記端末が前記ソース基地局に対して非アクティブを行うように指示するために用いられる、
ことを特徴とする請求項１に記載のアンカーのハンドオーバー方法。
【請求項３】
前記ターゲット基地局は、前記ソース基地局にアンカーハンドオーバー確認メッセージを送信した後に、
前記ターゲット基地局は、前記端末に指示メッセージを送信することをさらに含み、
前記指示メッセージは、前記ソース基地局の無線リソース制御が解放されること、及び／又は、前記ターゲット基地局の無線リソース制御が構成されることを指示するための情報である、
ことを特徴とする請求項１又は２に記載のアンカーのハンドオーバー方法。
【請求項４】
前記ターゲット基地局は、前記端末に指示メッセージを送信することは、
前記ターゲット基地局は、前記ソース基地局によって前記端末に前記指示メッセージを送信することを含む、
ことを特徴とする請求項３に記載のアンカーのハンドオーバー方法。
【請求項５】
前記ターゲット基地局は、ソース基地局より送信されたアンカーハンドオーバー要求メッセージを受信した後に、前記ターゲット基地局は、前記ソース基地局にアンカーハンドオーバー確認メッセージを送信する前に、
前記ターゲット基地局は、前記ソース基地局より送信された指示メッセージを受信することをさらに含み、
前記指示メッセージは、前記ソース基地局の無線リソース制御が解放されること、及び／又は、前記ターゲット基地局の無線リソース制御が構成されることを指示するための情報である、
ことを特徴とする請求項１又は２に記載のアンカーのハンドオーバー方法。
【請求項６】
前記ターゲット基地局は、ソース基地局より送信されたアンカーハンドオーバー要求メッセージを受信した後に、
前記ターゲット基地局は、前記アンカーハンドオーバー要求メッセージに基づいて、コアネットワークデバイスに経路転換要求を送信することをさらに含む、
ことを特徴とする請求項１〜５のいずれか１項に記載のアンカーのハンドオーバー方法。
【請求項７】
前記アンカーハンドオーバー要求メッセージは、前記端末のコンテキスト情報、前記サービスセルのシステム情報、及び前記端末に対する無線リソース構成情報のうちの少なくとも一つを含む、
ことを特徴とする請求項１〜６のいずれか１項に記載のアンカーのハンドオーバー方法。
【請求項８】
アンカーのハンドオーバー方法であって、
ソース基地局は、ターゲット基地局にアンカーハンドオーバー要求メッセージを送信することと、
前記ソース基地局は、前記ターゲット基地局より送信されたアンカーハンドオーバー確認メッセージを受信することと、を含み、
ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局であり、前記アンカーハンドオーバー要求メッセージは、制御決定権を前記ターゲット基地局に切り替えることを要求するように用いられ、前記アンカーハンドオーバー確認メッセージは、前記アンカーハンドオーバー要求メッセージを確認するように用いられる、
ことを特徴とする前記アンカーのハンドオーバー方法。
【請求項９】
前記ソース基地局は、ターゲット基地局にアンカーハンドオーバー要求メッセージを送信した後に、前記ソース基地局は、前記ターゲット基地局より送信されたアンカーハンドオーバー確認メッセージを受信する前に、
前記ソース基地局は、前記端末に指示メッセージを送信することをさらに含み、
前記指示メッセージは、前記ソース基地局の無線リソース制御が解放されること、及び／又は、前記ターゲット基地局の無線リソース制御が構成されることを指示するための情報である、
ことを特徴とする請求項８に記載のアンカーのハンドオーバー方法。
【請求項１０】
前記ソース基地局は、前記端末に指示メッセージを送信することは、
前記ソース基地局は、前記ターゲット基地局によって前記端末に前記指示メッセージを送信することを含む、
ことを特徴とする請求項９に記載のアンカーのハンドオーバー方法。
【請求項１１】
前記ソース基地局は、前記ターゲット基地局より送信されたアンカーハンドオーバー確認メッセージを受信した後に、
前記ソース基地局は、前記ターゲット基地局より送信された指示メッセージを受信することと、
前記ソース基地局は、前記端末に前記指示メッセージを転送することと、を含み、
前記指示メッセージは、前記ソース基地局の無線リソース制御が解放されること、及び／又は、前記ターゲット基地局の無線リソース制御が構成されることを指示するための情報である、
ことを特徴とする請求項８に記載のアンカーのハンドオーバー方法。
【請求項１２】
前記ソース基地局は、ターゲット基地局にアンカーハンドオーバー要求メッセージを送信する前に、
前記ソース基地局は、前記端末より報告された信号強度測定結果を受信することと、
前記ソース基地局は、前記信号強度測定結果に基づいて、前記端末がアンカーを前記ターゲット基地局にハンドオーバーる必要があると確定した場合、前記ソース基地局は、前記ターゲット基地局に対応するセルをセカンダリセルとして追加し、前記ソース基地局と前記ターゲット基地局とが、前記端末にユーザーデータを同時に送信することができるようにすることと、を含み、
前記信号強度測定結果は、前記端末が現在、受信されている前記ソース基地局のセルの信号の強度と、前記端末が現在、受信されている前記ターゲット基地局のセルの信号の強度とを含む、
ことを特徴とする請求項８〜１１のいずれか１項に記載のアンカーのハンドオーバー方法。
【請求項１３】
前記ソース基地局は、前記ターゲット基地局より送信されたアンカーハンドオーバー確認メッセージを受信した後に、
前記ソース基地局は、前記アンカーハンドオーバー確認メッセージに基づいて、コアネットワークデバイスに経路転換要求を送信することをさらに含む、
ことを特徴とする請求項８〜１２のいずれか１項に記載のアンカーのハンドオーバー方法。
【請求項１４】
前記アンカーハンドオーバー要求メッセージは、前記端末のコンテキスト情報、前記サービスセルのシステム情報、及び前記端末に対する無線リソース構成情報のうちの少なくとも一つを含む、
ことを特徴とする請求項８〜１３のいずれか１項に記載のアンカーのハンドオーバー方法。
【請求項１５】
アンカーのハンドオーバー方法であって、
端末は、ソース基地局又はターゲット基地局より送信された指示メッセージを受信することと、
前記端末は、前記ターゲット基地局と無線リソース制御（ＲＲＣ）接続制御リンクを確立することと、を含み、
前記指示メッセージは、前記ソース基地局の無線リソース制御が解放されることと、前記ターゲット基地局の無線リソース制御が構成されることとを指示するための情報を含み、ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局である、
ことを特徴とする前記アンカーのハンドオーバー方法。
【請求項１６】
前記端末は、前記ターゲット基地局より送信された非アクティブメッセージを受信することと、
前記端末は、前記非アクティブメッセージに基づいて、前記ソース基地局に対して非アクティブを行うことと、を含み、
前記非アクティブメッセージは、前記端末が前記ソース基地局に対して非アクティブを行うように指示するために用いられる、
ことを特徴とする請求項１５に記載のアンカーのハンドオーバー方法。
【請求項１７】
前記端末は、ソース基地局又はターゲット基地局より送信された指示メッセージを受信する前に、
前記端末は、前記ソース基地局に信号強度測定結果を報告することをさらに含み、
前記信号強度測定結果は、前記端末が現在、受信されている前記ソース基地局のセルの信号の強度と、前記端末が現在、受信されている前記ターゲット基地局のセルの信号の強度とを含む、
ことを特徴とする請求項１５又は１６に記載のアンカーのハンドオーバー方法。
【請求項１８】
基地局であって、前記基地局はターゲット基地局であり、
ソース基地局より送信されたアンカーハンドオーバー要求メッセージを受信するように構成される受信モジュールと、
前記ソース基地局にアンカーハンドオーバー確認メッセージを送信するように構成される送信モジュールと、を含み、
ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局であり、前記アンカーハンドオーバー要求メッセージは、制御決定権を前記ターゲット基地局に切り替えることを要求するように用いられ、前記アンカーハンドオーバー確認メッセージは、前記受信モジュールで受信された前記アンカーハンドオーバー要求メッセージを確認するように用いられる、
ことを特徴とする前記基地局。
【請求項１９】
前記端末と無線リソース制御（ＲＲＣ）接続制御リンクを確立するように構成される処理モジュールをさらに含み、
前記送信モジュールは、
前記端末に非アクティブメッセージを送信するようにさらに構成され、前記非アクティブメッセージは、前記端末が前記ソース基地局に対して非アクティブを行うように指示するために用いられる、
ことを特徴とする請求項１８に記載の基地局。
【請求項２０】
前記送信モジュールは、
前記送信モジュールが前記ソース基地局にアンカーハンドオーバー確認メッセージを送信した後に、前記端末に指示メッセージを送信するようにさらに構成され、
前記指示メッセージは、前記ソース基地局の無線リソース制御が解放されること、及び／又は、前記ターゲット基地局の無線リソース制御が構成されることを指示するための情報である、
ことを特徴とする請求項１８又は１９に記載の基地局。
【請求項２１】
前記送信モジュールは、具体的に、
前記ソース基地局によって前記端末に前記指示メッセージを送信するようにさらに構成される、
ことを特徴とする請求項２０に記載の基地局。
【請求項２２】
前記受信モジュールは、
前記受信モジュールがソース基地局より送信されたアンカーハンドオーバー要求メッセージを受信した後に、前記送信モジュールが前記ソース基地局にアンカーハンドオーバー確認メッセージを送信する前に、前記ソース基地局より送信された指示メッセージを受信するようにさらに構成され、前記指示メッセージは、前記ソース基地局の無線リソース制御が解放されること、及び／又は、前記ターゲット基地局の無線リソース制御が構成されることを指示するための情報であり、
前記送信モジュールは、
前記端末に前記指示メッセージを転送するようにさらに構成される、
ことを特徴とする請求項１８又は１９に記載の基地局。
【請求項２３】
前記送信モジュールは、
前記受信モジュールがソース基地局より送信されたアンカーハンドオーバー要求メッセージを受信した後に、前記アンカーハンドオーバー要求メッセージに基づいて、コアネットワークデバイスに経路転換要求を送信するようにさらに構成される、
ことを特徴とする請求項１８〜２２のいずれか１項に記載の基地局。
【請求項２４】
前記アンカーハンドオーバー要求メッセージは、前記端末のコンテキスト情報、前記サービスセルのシステム情報、及び前記端末に対する無線リソース構成情報のうちの少なくとも一つを含む、
ことを特徴とする請求項１８〜２３のいずれか１項に記載の基地局。
【請求項２５】
基地局であって、前記基地局は、ソース基地局であり、
ターゲット基地局にアンカーハンドオーバー要求メッセージを送信するように構成される送信モジュールと、
前記ターゲット基地局から送信されたアンカーハンドオーバー確認メッセージを受信するように構成される受信モジュールと、を含み、
ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局であり、前記アンカーハンドオーバー要求メッセージは、制御決定権を前記ターゲット基地局に切り替えることを要求するように用いられ、前記アンカーハンドオーバー確認メッセージは、前記送信モジュールから送信された前記アンカーハンドオーバー要求メッセージを確認するように用いられる、
ことを特徴とする前記基地局。
【請求項２６】
前記送信モジュールは、
前記送信モジュールがターゲット基地局にアンカーハンドオーバー要求メッセージを送信した後に、前記受信モジュールが前記ターゲット基地局から送信されたアンカーハンドオーバー確認メッセージを受信する前に、前記端末に指示メッセージを送信するようにさらに構成され、
前記指示メッセージは、前記ソース基地局の無線リソース制御が解放されること、及び／又は、前記ターゲット基地局の無線リソース制御が構成されることを指示するための情報である、
ことを特徴とする請求項２５に記載の基地局。
【請求項２７】
前記送信モジュールは、具体的に、
前記ターゲット基地局によって前記端末に前記指示メッセージを送信するように構成される、
ことを特徴とする請求項２６に記載の基地局。
【請求項２８】
前記受信モジュールは、
前記受信モジュールが前記ターゲット基地局から送信されたアンカーハンドオーバー確認メッセージを受信した後に、前記ターゲット基地局より送信された指示メッセージを受信するようにさらに構成され、前記指示メッセージは、前記ソース基地局の無線リソース制御が解放されること、及び／又は、前記ターゲット基地局の無線リソース制御が構成されることを指示するための情報であり、
前記送信モジュールは、
前記端末に前記指示メッセージを転送するようにさらに構成される、
ことを特徴とする請求項２５に記載の基地局。
【請求項２９】
前記受信モジュールは、
前記送信モジュールがターゲット基地局にアンカーハンドオーバー要求メッセージを送信する前に、前記端末より報告された信号強度測定結果を受信するようにさらに構成され、前記信号強度測定結果は、前記端末が現在、受信されている前記ソース基地局のセルの信号の強度と、前記端末が現在、受信されている前記ターゲット基地局のセルの信号の強度とを含み、
前記基地局は、
前記信号強度測定結果に基づいて、前記端末がアンカーを前記ターゲット基地局にハンドオーバーる必要があると確定した場合、前記ターゲット基地局に対応するセルをセカンダリセルとして追加し、前記ソース基地局と前記ターゲット基地局とが、前記端末にユーザーデータを同時に送信することができるようにするように構成される処理モジュール、をさらに含む、
ことを特徴とする請求項２５〜２８のいずれか１項に記載の基地局。
【請求項３０】
前記送信モジュールは、
前記受信モジュールが前記ターゲット基地局から送信されたアンカーハンドオーバー確認メッセージを受信した後に、前記アンカーハンドオーバー確認メッセージに基づいて、コアネットワークデバイスに経路転換要求を送信するようにさらに構成される、
ことを特徴とする請求項２５〜２９のいずれか１項に記載の基地局。
【請求項３１】
前記アンカーハンドオーバー要求メッセージは、前記端末のコンテキスト情報、前記サービスセルのシステム情報、及び前記端末に対する無線リソース構成情報のうちの少なくとも一つを含む、
ことを特徴とする請求項２５〜３０のいずれか１項に記載の基地局。
【請求項３２】
端末であって、
ソース基地局又はターゲット基地局より送信された指示メッセージを受信するように構成される受信モジュールと、
前記ターゲット基地局と無線リソース制御（ＲＲＣ）接続制御リンクを確立するように構成される処理モジュールと、を含み、
前記指示メッセージは、前記ソース基地局の無線リソース制御が解放されることと、前記ターゲット基地局の無線リソース制御が構成されることとを指示するための情報を含み、ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局である。
ことを特徴とする前記端末。
【請求項３３】
前記受信モジュールは、
前記ターゲット基地局より送信された非アクティブメッセージを受信するようにさらに構成され、前記非アクティブメッセージは、前記端末が前記ソース基地局に対して非アクティブを行うように指示するために用いられ、
前記処理モジュールは、
前記受信モジュールで受信された前記非アクティブメッセージに基づいて、前記ソース基地局に対して非アクティブを行うようにさらに構成される、
ことを特徴とする請求項３２に記載の端末。
【請求項３４】
前記受信モジュールがソース基地局又はターゲット基地局より送信された指示メッセージを受信する前に、前記ソース基地局に信号強度測定結果を報告するように構成される送信モジュール、をさらに含み、
前記信号強度測定結果は、前記端末が現在、受信されている前記ソース基地局のセルの信号の強度と、前記端末が現在、受信されている前記ターゲット基地局のセルの信号の強度とを含む、
ことを特徴とする請求項３２又は３３に記載の端末。
【発明の詳細な説明】
【技術分野】
【０００１】
本発明は通信分野に関し、特にアンカーのハンドオーバー方法及びデバイスに関する。
【背景技術】
【０００２】
現在、無線通信標準化機構は、ロング・ターム・エボリューション（ＬＴＥ：Ｌｏｎｇ  Ｔｅｒｍ  Ｅｖｏｌｕｔｉｏｎ）システムのハンドオーバー過程における遅延短縮技術について議論されている。従来のＬＴＥシステムにおいて、ハンドオーバー遅延による困難は、主に端末、ソース基地局及びターゲット基地局の再構成に集中している。
【０００３】
従来技術において、ハンドオーバー遅延は、端末に再構成完了後のターゲット基地局側におけるダウンリンク同期遅延、アップリンク同期遅延及び再構成完了シグナリング遅延を含む。ここで、ダウンリンク同期に関する重要なことは、端末とターゲット基地局との同期であるため、ターゲット基地局とソース基地局が同期である場合、該ステップを無視しても良い。再構成完了遅延が再構成シグナリング構成遅延と同じであるため、端末処理遅延は肝心である。そのため最も重要な遅延はアップリンク同期遅延である。
【０００４】
現在、アップリンク同期は、主に下記の幾つかのステップに係る。
【０００５】
（１）端末は、再構成シグナリングに設定されたプリアンブル（Ｐｒｅａｍｂｌｅ）情報に従って、無競合ランダムアクセスのフローを実施し、
（２）基地局は、該Ｐｒｅａｍｂｌｅ情報を受信した後に、アップリンク同期のタイミングアドバンス（ＴＡ：Ｔｉｍｉｎｇ  Ａｄｖａｎｃｅ）を算出し、
（３）基地局は、該ＴＡをランダムアクセス応答（ＲＡＲ：Ｒａｎｄｏｍ  Ａｃｃｅｓｓ  Ｒｅｓｐｏｎｓｅ）によって端末に知らせ、端末にアップリンク許可（ＵＬ  ｇｒａｎｔ：Ｕｐ  Ｌｉｎｋ  ｇｒａｎｔ）リソースを割り当て、
（４）端末は、ＵＬ  ｇｒａｎｔリソースで設定されたＴＡを用いて再構成完了メッセージを送信する。
【０００６】
従来技術において、該フローに対する具体的な最適化技術案は、下記の通りである。
【０００７】
ソフトハンドオーバー方式を利用することであり、即ち、ち現在のＬＴＥシステムの端末の振る舞いを変えることである。端末が再構成を行う時に、メディアアクセスコントロール（ＭＡＣ：Ｍｅｄｉａ  Ａｃｃｅｓｓ  Ｃｏｎｔｒｏｌ）、無線リンクコントロール（ＲＬＣ：Ｒａｄｉｏ  Ｌｉｎｋ  Ｃｏｎｔｒｏｌ）、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）などのエンティティをリセットせず、即ち、端末はソース基地局との無線リソース制御（ＲＲＣ：Ｒａｄｉｏ  Ｒｅｓｏｕｒｃｅ  Ｃｏｎｔｒｏｌ）接続を常に保持すると共に、端末はターゲット基地局とダウンリンク同期、アップリンク同期を行い、再構成シグナリングを送信し、端末がターゲット基地局に成功に接続できた場合のみ、ソース基地局とのＲＲＣ接続を切断する。
【０００８】
該技術案において、タイミングアドバンスは、端末が前もって測定して計算する技術案を利用して得られ、即ち、端末が測定を完了して報告してから、基地局はターゲット基地局を選択した場合、端末に対応するリソースを設定し、端末がターゲット基地局とアップリンク同期リソースの送信をできるようにし、ターゲット基地局が該シグナリングを受信した後に、タイミングアドバンスを算出し、ソースセルに送信し、ソースセルはタイミングアドバンスを受信してから、タイミングアドバンスを含むハンドオーバー命令を端末に送信する。
【０００９】
該技術案は、ハンドオーバー過程でＲＲＣ接続を確立することに起因する遅延を除去することができるが、端末がソース基地局とターゲット基地局とのＲＲＣ接続を同時に保持することをサポートするように求められ、端末の機能に対する要求が高く、端末の複雑度が増加し、しかもハンドオーバーの過程において、基地局と端末との間のデータ伝送は中断されているわけで、システムのデータ伝送効率が低く、ユーザー体験が良くない。
【発明の概要】
【００１０】
本発明の実施例は、アンカーのハンドオーバー方法及びデバイスを提供し、端末がスムーズにハンドオーバーすることを保証することができ、ハンドオーバーの遅延を短縮し、ハンドオーバー時のユーザー体験を向上させる。
【００１１】
第１方面において、アンカーのハンドオーバー方法を提供し、
ターゲット基地局は、ソース基地局より送信されたアンカーハンドオーバー要求メッセージを受信することと、
前記ターゲット基地局は、前記ソース基地局にアンカーハンドオーバー確認メッセージを送信することと、
を含み、ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局であり、前記アンカーハンドオーバー要求メッセージは、制御決定権を前記ターゲット基地局に切り替えることを要求するように用いられ、前記アンカーハンドオーバー確認メッセージは、前記アンカーハンドオーバー要求メッセージを確認するように用いられる。
【００１２】
ここで、本発明におけるアンカーのハンドオーバー方法は、基地局のハンドオーバーフロー中の一部のフローとすることができる。アンカーのハンドオーバーによって、基地局のハンドオーバーが完成することができる。ここで、アンカーは、無線リソースに対する制御決定権を有する基地局を指しており、アンカーのハンドオーバーは、基地局間の制御決定権の切り替えを指している。
【００１３】
ここで、ソース基地局のサービスセルは、マルチ接続技術によってターゲット基地局に対応するセルをセカンダリセルとして追加することができる。
【００１４】
第１方面における一つの可能な実施形態において、前記方法は、
前記ターゲット基地局は、前記端末と無線リソース制御（ＲＲＣ）接続制御リンクを確立することと、
前記ターゲット基地局は、前記端末に非アクティブメッセージを送信することと、
をさらに含み、前記非アクティブメッセージは、前記端末が前記ソース基地局に対して非アクティブを行うように指示するために用いられる。
【００１５】
第１方面の一つの可能な実施形態において、前記ターゲット基地局は、前記ソース基地局にアンカーハンドオーバー確認メッセージを送信した後に、前記方法は、
前記ターゲット基地局は、前記端末に指示メッセージを送信すること、をさらに含み、前記指示メッセージは、前記ソース基地局の無線リソース制御が解放されること、及び／又は、前記ターゲット基地局の無線リソース制御が構成されることを指示するための情報である。
【００１６】
該可能な実施形態において、前記ターゲット基地局は、前記端末に指示メッセージを送信することは、
前記ターゲット基地局は、前記ソース基地局によって前記端末に前記指示メッセージを送信することを含む。
【００１７】
第１方面の一つの可能な実施形態において、前記ターゲット基地局は、ソース基地局より送信されたアンカーハンドオーバー要求メッセージを受信した後に、前記ターゲット基地局は、前記ソース基地局にアンカーハンドオーバー確認メッセージを送信する前に、前記方法は、
前記ターゲット基地局は、前記ソース基地局より送信された指示メッセージを受信することと、
前記ターゲット基地局は、前記端末に前記指示メッセージを転送することと、
を含み、前記指示メッセージは、前記ソース基地局の無線リソース制御が解放されること、及び／又は、前記ターゲット基地局の無線リソース制御が構成されることを指示するための情報である。
【００１８】
第１方面の一つの可能な実施形態において、前記ターゲット基地局は、ソース基地局より送信されたアンカーハンドオーバー要求メッセージを受信した後に、前記方法は、
前記ターゲット基地局は、前記アンカーハンドオーバー要求メッセージに基づいて、コアネットワークデバイスに経路転換要求を送信すること、
をさらに含む。
【００１９】
第２方面において、アンカーのハンドオーバー方法を提供し、
ソース基地局は、ターゲット基地局にアンカーハンドオーバー要求メッセージを送信することと、
前記ソース基地局は、前記ターゲット基地局より送信されたアンカーハンドオーバー確認メッセージを受信することと、
を含み、ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局であり、前記アンカーハンドオーバー要求メッセージは、制御決定権を前記ターゲット基地局に切り替えることを要求するように用いられ、前記アンカーハンドオーバー確認メッセージは、前記アンカーハンドオーバー要求メッセージを確認するように用いられる。
【００２０】
第２方面の一つの可能な実施形態において、前記ソース基地局は、ターゲット基地局にアンカーハンドオーバー要求メッセージを送信した後に、前記ソース基地局は、前記ターゲット基地局より送信されたアンカーハンドオーバー確認メッセージを受信する前に、前記方法は、
前記ソース基地局は、前記端末に指示メッセージを送信することをさらに含み、前記指示メッセージは、前記ソース基地局の無線リソース制御が解放されること、及び／又は、前記ターゲット基地局の無線リソース制御が構成されることを指示するための情報である。
【００２１】
該可能な実施形態において、前記ソース基地局は、前記端末に指示メッセージを送信することは、
前記ソース基地局は、前記ターゲット基地局によって前記端末に前記指示メッセージを送信することを含む。
【００２２】
第２方面の一つの可能な実施形態において、前記ソース基地局は、前記ターゲット基地局より送信されたアンカーハンドオーバー確認メッセージを受信した後に、前記方法は、
前記ソース基地局は、前記ターゲット基地局より送信された指示メッセージを受信することと、
前記ソース基地局は、前記端末に前記指示メッセージを転送することと、
を含み、前記指示メッセージは、前記ソース基地局の無線リソース制御が解放されること、及び／又は、前記ターゲット基地局の無線リソース制御が構成されることを指示するための情報である。
【００２３】
第２方面の一つの可能な実施形態において、前記ソース基地局は、ターゲット基地局にアンカーハンドオーバー要求メッセージを送信する前に、前記方法は、
前記ソース基地局は、前記端末より報告された信号強度測定結果を受信することと、
前記ソース基地局は、前記信号強度測定結果に基づいて、前記端末がアンカーを前記ターゲット基地局にハンドオーバーる必要があると確定した場合、前記ソース基地局は、前記ターゲット基地局に対応するセルをセカンダリセルとして追加し、前記ソース基地局と前記ターゲット基地局とが、前記端末にユーザーデータを同時に送信することができるようにすることと、
を含み、前記信号強度測定結果は、前記端末が現在、受信されている前記ソース基地局のセルの信号の強度と、前記端末が現在、受信されている前記ターゲット基地局のセルの信号の強度とを含む。
【００２４】
第２方面の一つの可能な実施形態において、前記ソース基地局は、前記ターゲット基地局より送信されたアンカーハンドオーバー確認メッセージを受信した後に、前記方法は、
前記ソース基地局は、前記アンカーハンドオーバー確認メッセージに基づいて、コアネットワークデバイスに経路転換要求を送信することをさらに含む。
【００２５】
第３方面において、アンカーのハンドオーバー方法を提供し、
端末は、ソース基地局又はターゲット基地局より送信された指示メッセージを受信することと、
前記端末は、前記ターゲット基地局と無線リソース制御（ＲＲＣ）接続制御リンクを確立することと、
を含み、前記指示メッセージは、前記ソース基地局の無線リソース制御が解放されることと、前記ターゲット基地局の無線リソース制御が構成されることとを指示するための情報を含み、ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局である。
【００２６】
第３方面の一つの可能な実施形態において、前記方法は、
前記端末は、前記ターゲット基地局より送信された非アクティブメッセージを受信することと、
前記端末は、前記非アクティブメッセージに基づいて、前記ソース基地局に対して非アクティブを行うことと、
をさらに含み、前記非アクティブメッセージは、前記端末が前記ソース基地局に対して非アクティブを行うように指示するために用いられる。
【００２７】
第３方面の一つの可能な実施形態において、前記端末は、ソース基地局又はターゲット基地局より送信された指示メッセージを受信する前に、前記方法は、
前記端末は、前記ソース基地局に信号強度測定結果を報告することをさらに含み、前記信号強度測定結果は、前記端末が現在、受信されている前記ソース基地局のセルの信号の強度と、前記端末が現在、受信されている前記ターゲット基地局のセルの信号の強度とを含む。
【００２８】
第４方面において、基地局を提供し、受信モジュール、送信モジュールを含み、第１方面、第２方面及び第３方面における対応する実施形態を実施するように構成される。基地局は、対応する実施形態を実施するために、処理モジュールをさらに含むことが可能である。
【００２９】
第５方面において、基地局を提供し、プロセッサ、受信機、送信機及び記憶装置を含み、第１方面、第２方面及び第３方面における対応する実施形態を実施するように構成され、第５方面における基地局の各部品は、第４方面における基地局の対応するモジュールと対応することができる。
【００３０】
第６方面において、基地局を提供し、送信モジュール、受信モジュールを含み、第１方面、第２方面及び第３方面における対応する実施形態を実施するように構成される。基地局は、対応する実施形態を実施するために、処理モジュールを含むことが可能である。
【００３１】
第７方面において、基地局を提供し、プロセッサ、受信機、送信機及び記憶装置を含み、第１方面、第２方面及び第３方面における対応する実施形態を実施するように構成され、第７方面における基地局の各部品は第６方面における基地局の対応するモジュールと対応することができる。
【００３２】
第８方面において、端末を提供し、受信モジュール、処理モジュールを含み、第１方面、第２方面及び第３方面における対応する実施形態を実施するように構成される。端末は、対応する実施形態を実施するために、送信モジュールを含むことが可能である。
【００３３】
第９方面、端末を提供し、プロセッサ、受信機、送信機及び記憶装置を含み、第１方面、第２方面及び第３方面における対応する実施形態を実施するように構成され、第９方面における端末の各部品は、第８方面における端末の対応するモジュールと対応することができる。
【００３４】
第１方面〜第９方面、及び対応する実施形態において、前記アンカーハンドオーバー要求メッセージは、前記端末のコンテキスト情報、前記サービスセルのシステム情報、及び前記端末に対する無線リソース構成情報のうちの少なくとも一つを含む。
【００３５】
上記の技術案によって、本発明の実施例におけるアンカーのハンドオーバー方法及びデバイスは、ターゲット基地局のセルは、ソース基地局のセルのセカンダリセルであり、ターゲット基地局は、アンカーハンドオーバー要求を受信してアンカーハンドオーバーを確認する操作を実施し、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【図面の簡単な説明】
【００３６】
【図１】本発明の一つの実施例におけるアンカーのハンドオーバー方法を示すフローチャートである。
【図２Ａ】本発明の一つの実施例におけるアンカーのハンドオーバー過程でのデータ伝送を示す図である。
【図２Ｂ】本発明の一つの実施例におけるアンカーのハンドオーバー過程でのデータ伝送を示す図である。
【図２Ｃ】本発明の一つの実施例におけるアンカーのハンドオーバー過程でのデータ伝送を示す図である。
【図３】本発明のもう一つの実施例におけるアンカーのハンドオーバー方法を示すフローチャートである。
【図４】本発明のもう一つの実施例におけるアンカーのハンドオーバー方法を示すフローチャートである。
【図５】本発明のもう一つの実施例におけるアンカーのハンドオーバー方法を示すフローチャートである。
【図６】本発明の一つの実施例における基地局を示すブロック図である。
【図７】本発明のもう一つの実施例における基地局を示すブロック図である。
【図８】本発明のもう一つの実施例における基地局を示すブロック図である。
【図９】本発明のもう一つの実施例における基地局を示すブロック図である。
【図１０】本発明の一つの実施例における端末を示すブロック図である。
【図１１】本発明のもう一つの実施例における端末を示すブロック図である。
【発明を実施するための形態】
【００３７】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００３８】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００３９】
本明細書に使用される用語「部品」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、部品は、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全て部品であってもよい。一つ又は複数の部品はプロセス及び／又は実行スレッドに常駐することができ、部品は一つのコンピュータに置かれてもよく及び／又は２つ以上のコンピュータの間に配布してもよい。その他、これらの部品は、様々なデータ構造が記憶されている様々なコンピュータ可読媒体から実行されてもよい。部品は例えば一つ又は複数のデータグループ（例えばローカルシステム、分散型システム及び／又はネットワーク間の別の部品とインタラクションを行う二つの部品からのデータ、例えば信号によって他のシステムとインタラクションを行うインターネット）を含む信号に基づいて、ローカル及び／又は遠隔プロセスにより通信することができる。
【００４０】
理解すべきこととして、本発明の実施例に係る技術案は、様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａｌ  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバルインターコネクトマイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに適用されることができる。
【００４１】
本発明は端末装置と結合して各実施例を説明する。端末装置は無線アクセスネットワーク（ＲＡＮ：Ｒａｄｉｏ  Ａｃｃｅｓｓ  Ｎｅｔｗｏｒｋ）を介して一つ又は複数のコアネットワークと通信することができ、端末装置はユーザ装置（ＵＥ：Ｕｓｅｒ  Ｅｑｕｉｐｍｅｎｔ）、アクセス端末、ユーザユニット、ユーザサイト、移動サイト、移動局、遠隔サイト、遠隔端末、移動装置、ユーザ端末、端末、無線通信装置、ユーザエージェント又はユーザデバイスであってもよい。アクセス端末装置はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末装置などであってもよい。
【００４２】
本発明は、アクセスネットワークデバイスを結合して各実施例を説明している。アクセスネットワークデバイスは、アクセスネットワークにおける端末と通信するためのデバイスであっても良く、例えば、ＧＳＭシステム又はＣＤＭＡの基地局（ＢＴＳ：Ｂａｓｅ  Ｔｒａｎｓｃｅｉｖｅｒ  Ｓｔａｔｉｏｎ）であっても良く、ＷＣＤＭＡシステムにおける基地局（ＮＢ：ＮｏｄｅＢ）であっても良く、ＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよく、又は該ネットワークデバイスは中継局、アクセスポイント、車載デバイス、ウェアラブルデバイス及び将来の５Ｇネットワークにおけるアクセスネットワークデバイスなどであっても良い。
【００４３】
本発明はコアネットワークデバイスを結合して一部の実施例を説明している。コアネットワークデバイスは、主に、ユーザの接続を提供し、ユーザの管理及びサービスに対してベアラを行い、ベアラネットワークとして外部ネットワークへのインターフェースを提供する等々のために用いられる。例えば、サービングゲートウェイ（ＳＧＷ：Ｓｅｒｖｉｎｇ  ＧａｔｅＷａｙ）又はＰＤＮゲートウェイ（ＰＧＷ：ＰＤＮ  ＧａｔｅＷａｙ）、又はコアネットワークにおけるその他のネットワークエレメントであっても良く、ここで、ＰＤＮはパブリックユーザーデータネットワーク（Ｐｕｂｌｉｃ  Ｄａｔａ  Ｎｅｔｗｏｒｋ）である。
【００４４】
なお、本発明の実施例におけるアンカーのハンドオーバー方法は、基地局のハンドオーバーフロー中の一部のフローとすることができる。アンカーのハンドオーバーによって、基地局をハンドオーバーすることができる。ここで、アンカーは、無線リソースに対する制御決定権を有する基地局を指しており、アンカーのハンドオーバーは、基地局間の制御決定権の切り替えを指している。
【００４５】
図１は、本発明の一つの実施例におけるアンカーのハンドオーバー方法１００である。図１に示すように、方法１００は、Ｓ１０１〜Ｓ１１４を含む。
【００４６】
Ｓ１０１において、端末は、ソース基地局に信号強度測定結果を報告し、該信号強度測定結果は、端末が現在、受信されているサービスセルに対応する基地局（即ち、ハンドオーバーする前のソース基地局）により送信される信号の強度と、サービスセルの周りのその他のセルに対応する基地局（その後、ハンドオーバー先のターゲット基地局）により送信される信号の強度とを含む。
【００４７】
具体的に、該信号強度測定結果は、該端末が現在、受信されている該ソース基地局のセルの信号の強度と、該端末が現在、受信されている該ターゲット基地局のセルの信号の強度とを含む。端末が信号強度測定結果を報告するのは、現行のフローによって報告しても良く、本発明の実施例は、これに対して限定しない。
【００４８】
それに応じて、ソース基地局は、端末より報告された信号強度測定結果を受信する。
【００４９】
Ｓ１０２において、ソース基地局は、端末より報告された信号強度測定結果に基づいて、端末がアンカーをターゲットセルに対応する基地局（ターゲット基地局）にハンドオーバー（又はハンドオーバー）する必要があると確定し、ターゲットセルをセカンダリセルとして追加し、ソース基地局とターゲット基地局とは、同時に端末にユーザーデータを送信することができるようにする。
【００５０】
現在のサービスセルに対応する基地局は、ターゲットセルをセカンダリセル（又は「伝送セカンダリセル」と称する）として追加することは、マルチ接続技術によって実施することでき、即ち、プライマリーセル（ＰＣｅｌｌ：Ｐｒｉｍａｒｙ  Ｃｅｌｌ）とセカンダリセル（ＳＣｅｌｌ：Ｓｅｃｏｎｄａｒｙ  Ｃｅｌｌ）を設定する。言い換えれば、ソース基地局のサービスセルは、マルチ接続技術によってターゲット基地局に対応するセルをセカンダリセルとして追加する。一つのプライマリーセルと一つのセカンダリセルが存在する場合、基づかれる技術は二重接続技術である。それ以外、その他の技術によってセカンダリセルを追加することができ、本発明の実施例は、これに対して限定しない。
【００５１】
Ｓ１０３とＳ１０４及び図２Ａに対応し、この際に、ユーザーデータは、プライマリーセル（現在のサービスセル、ソース基地局に対応する）によってスケジューリングされ、サービスセルによって送信されてもよいし、セカンダリセル（ターゲット基地局に対応する）によって送信しても良いし、それともサービスセルとターゲットセルとによって同時に送信しても良い。制御シグナリングは、サービスセルによって端末に送信する。
【００５２】
なお、本発明の実施例において、端末より報告された信号強度測定結果に基づいて、ソース基地局は、一つ又は複数の、ターゲットセルに属する基地局とセカンダリセルを同時に確立することができ、本発明の実施例は、これに対して限定しない。
【００５３】
Ｓ１０５において、ソース基地局は、ターゲット基地局にアンカーハンドオーバー要求メッセージを送信し、ここで、アンカーハンドオーバー要求メッセージは、制御決定権をソース基地局からターゲット基地局に切り替えるように要求するように用いられる。ソース基地局が複数のターゲットセルに属する基地局とセカンダリセルを確立する際に、ソース基地局は、複数のターゲットセルに対応する基地局のうちの一つのターゲット基地局を選択してアンカーハンドオーバー要求メッセージを送信し、即ち、無線リソース制御（ＲＲＣ：Ｒａｄｉｏ  Ｒｅｓｏｕｒｃｅ  Ｃｏｎｔｒｏｌ）権をソース基地局からターゲット基地局にハンドオーバーするように要求し、この過程の中、ユーザーデータのリンクは変わらないように保持し、既存の設定で伝送している。それに応じて、ターゲット基地局は、ソース基地局より送信されたアンカーハンドオーバー要求メッセージを受信する。
【００５４】
ここで、アンカーハンドオーバー要求メッセージは、端末のコンテキスト情報、サービスセルのシステム情報、及び端末に対する無線リソース構成情報のうちの少なくとも一つを含み、ターゲット情報が上記の情報に基づいてハンドオーバーの設定を行うようにする。
【００５５】
選択肢として、Ｓ１０６において、ターゲット基地局は、ソース基地局より送信されたアンカーハンドオーバー要求メッセージを受信した後に、アンカーハンドオーバー要求メッセージに基づいて、コアネットワークデバイスに経路転換要求を送信することができる。該コアネットワークデバイスは、例えばＳＧＷ又はＰＧＷ等のようなコアネットワークルーターであっても良い。経路転換要求は、ユーザーデータ経路を、コアネットワークルーターからソース基地局への経路から、コアネットワークルーターからターゲット基地局への経路に転換することを指示するように用いられる。なお、Ｓ１０６を実施しても良く、代わりにＳ１１０を実施し、本発明の実施例は、これに対して限定しない。
【００５６】
選択肢として、図２Ｂと対応して、ソース基地局は、ターゲット基地局にアンカーハンドオーバー要求メッセージを送信した後に、ソース基地局は、ターゲット基地局から送信されたアンカーハンドオーバー確認メッセージを受信する前に、Ｓ１０７を実施しても良く、ソース基地局は、端末に直接に指示情報を送信することが可能であり、該指示情報は設定シグナリングてあっても良く、端末の無線リソース制御に関する設定がすでにソース基地局からターゲット基地局に転換されたことを指示するように用いられ、該指示メッセージは、ソース基地局の無線リソース制御が解放されること、ターゲット基地局の無線リソース制御が構成されることを指示する情報を含む。言い換えれば、指示メッセージは、端末に送信する必要があるＲＲＣ接続制御の解放に関する情報及びターゲットセル接続設定に関する情報を含む。
【００５７】
又はＳ１０７に代わりに、Ｓ１０８を実施しても良く、ソース基地局は、ターゲット基地局によって端末に指示メッセージを送信しても良い。即ち、ターゲット基地局は、ソース基地局より送信された指示メッセージを受信し、端末に指示メッセージを転送する。
【００５８】
なお、図２Ｂに示すように、ソース基地局は、ターゲット基地局にアンカーハンドオーバー要求メッセージを送信した後に、ターゲット基地局より送信されたアンカーハンドオーバー確認メッセージを受信する前に、ユーザーデータは、ソース基地局及び／又はターゲット基地局によって送信されることができる。指示メッセージ等の制御シグナリングは、ソース基地局により決定され、即ち、ＲＲＣ決定権はまだソース基地局にある。ソース基地局により端末に直接に送信しても良く、ターゲット基地局によって端末に送信しても良い。
【００５９】
Ｓ１０９において、ターゲット基地局は、ソース基地局にアンカーハンドオーバー確認メッセージを送信し、該アンカーハンドオーバー確認メッセージは、アンカーハンドオーバー要求メッセージを確認するように用いられ、具体的に、ターゲット基地局側において確立できる端末に関する無線ベアラ、対応するサービス品質（ＱｏＳ：Ｑｕａｌｉｔｙ  ｏｆ  Ｓｅｒｖｉｃｅ）などの情報を含むことができる。それに応じて、ソース基地局は、ターゲット基地局から送信されるアンカーハンドオーバー確認メッセージを受信する。
【００６０】
Ｓ１０９においてターゲット基地局がソース基地局にアンカーハンドオーバー確認メッセージを送信すると同時に、Ｓ１１０を実施し、ターゲット基地局は端末とＲＲＣ接続制御リンクを確立し、この時、ＲＲＣ決定権は、ソース基地局からターゲット基地局にハンドオーバーする。
【００６１】
Ｓ１０６の代わりに、Ｓ１１１を実施しても良く、ソース基地局はターゲット基地局から送信されたアンカーハンドオーバー確認メッセージを受信した後に、ソース基地局は、アンカーハンドオーバー確認メッセージに基づいて、コアネットワークデバイスに経路転換要求を送信し、コアネットワークデバイスがハンドオーバーに関する設定を行うようにする。
【００６２】
Ｓ１０７又はＳ１０８の代わりに、Ｓ１０９においてターゲット基地局は、ソース基地局にアンカーハンドオーバー確認メッセージを送信し後に、Ｓ１１２を実施し、ターゲット基地局は、端末に上記の指示メッセージを送信する。
【００６３】
又はＳ１０７の代わりに、Ｓ１０９においてターゲット基地局はソース基地局にアンカーハンドオーバー確認メッセージを送信した後に、Ｓ１１３を実施しても良く、ターゲット基地局はソース基地局によって端末に指示メッセージを送信する。即ち、ソース基地局はターゲット基地局より送信された指示メッセージを受信し、端末に指示メッセージを転送する。
【００６４】
なお、図２Ｃに示すように、ターゲット基地局がソース基地局にアンカーハンドオーバー確認メッセージを送信した後に、ユーザーデータはソース基地局及び／又はターゲット基地局により送信されることが可能である。指示メッセージ等の制御シグナリングは、ターゲット基地局により決定され、即ち、ＲＲＣ決定権は、既にソース基地局からターゲット基地局に切り替えられた。ターゲット基地局から端末に直接に送信しても良く、ソース基地局によって端末に送信しても良い。
【００６５】
Ｓ１１４において、ソース基地局の信号品質が良くない場合、ＲＲＣ決定権を有するターゲット基地局は、端末に非アクティブメッセージを送信し、非アクティブメッセージは、端末がソース基地局に対して非アクティブを行うように指示するために用いられる。それに応じて、端末はターゲット基地局より送信された非アクティブメッセージを受信する。
【００６６】
Ｓ１１５において、端末は非アクティブメッセージに基づいて、ソース基地局に対して非アクティブを行う。具体的に、端末は、元サービスセル（ソース基地局）を端末のサービスリストから削除することが可能である。
【００６７】
なお、本発明の実施例におけるアンカーハンドオーバー要求は、従来技術におけるハンドオーバー要求メッセージに含まれても良く、即ち、アンカーハンドオーバー要求メッセージは、ハンドオーバー要求メッセージであっても良く、類似しているように、アンカーハンドオーバー確認は、従来技術におけるハンドオーバー確認メッセージに含まれても良く、即ち、アンカーハンドオーバー確認メッセージは、ハンドオーバー確認メッセージであっても良い。言い換えれば、本発明の実施例におけるアンカーハンドオーバー要求、アンカーハンドオーバー確認等は、従来技術におけるメッセージに基づいても良く、新たなメッセージで伝送されても良く、本発明の実施例は、これに対して限定しない。
【００６８】
なお、本発明の各実施例において、上記の過程の番号は実行の前後順序を意味とせず、各過程の実行順序は、その機能と自身のロジックによって確定されるべきであり、本発明の実施例の実施過程を制限するものではない。
【００６９】
なお、上記の技術案において、幾つかのステップは互いに代わっても良く、又は省略しても良い。各ステップをロジックに従って組み合わせれば、下記の技術案が得られる。例えば、（Ｓ１０１、Ｓ１０２、Ｓ１０３及び／又はＳ１０４、Ｓ１０５、Ｓ１０６、Ｓ１０７又はＳ１０８、Ｓ１０９、Ｓ１１０、Ｓ１１４、Ｓ１１５）又は、（Ｓ１０１、Ｓ１０２、Ｓ１０３及び／又はＳ１０４、Ｓ１０５、Ｓ１０７又はＳ１０８、Ｓ１０９、Ｓ１１０、Ｓ１１１、Ｓ１１４、Ｓ１１５）又は（Ｓ１０１、Ｓ１０２、Ｓ１０３及び／又はＳ１０４、Ｓ１０５、Ｓ１０６、Ｓ１０９、Ｓ１１０、Ｓ１１２又はＳ１１３、Ｓ１１４、Ｓ１１５）又は（Ｓ１０１、Ｓ１０２、Ｓ１０３及び／又はＳ１０４、Ｓ１０５、Ｓ１０９、Ｓ１１０、Ｓ１１１、Ｓ１１２又はＳ１１３、Ｓ１１４、Ｓ１１５）等々になり、本発明の実施例はそれに限らない。
【００７０】
本発明の実施例におけるアンカーのハンドオーバー方法は、マルチ接続技術に基づいて、ターゲットセルが現在のサービスセルである前提において、アンカーハンドオーバーの要求、経路転換、アンカーハンドオーバーの確認、ＲＲＣ接続制御リンクの確立、ソース基地局の非アクティブ等の操作を実施し、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【００７１】
以下においてターゲット基地局側から、本発明の実施例におけるアンカーのハンドオーバー方法２００を説明する。図３に示すように、方法２００は、Ｓ２０１〜Ｓ２０２を含む。
【００７２】
Ｓ２０１において、ターゲット基地局は、ソース基地局より送信されたアンカーハンドオーバー要求メッセージを受信する、ここで、該ソース基地局は、現在、端末にサービスを提供する、制御決定権を有するサービスセルに対応する基地局であり、該ターゲット基地局は、該サービスセルにより制御される、現在、該端末にサービスを提供するセカンダリセルに対応する基地局であり、該アンカーハンドオーバー要求メッセージは、制御決定権を該ターゲット基地局に切り替えるするように要求するために用いられる。
【００７３】
ここで、Ｓ２０１は、方法１００のＳ１０５に対応し、それに関する具体的な実現方法はここで省略する。
【００７４】
Ｓ２０２において、該ターゲット基地局は、該ソース基地局にアンカーハンドオーバー確認メッセージを送信し、該アンカーハンドオーバー確認メッセージは、該アンカーハンドオーバー要求メッセージを確認するために用いられる。
【００７５】
ここで、Ｓ２０２は、方法１００のＳ１０９に対応すし、それに関する具体的な実現方法はここで省略する。
【００７６】
本発明の実施例におけるアンカーのハンドオーバー方法、ターゲット基地局のセルは、ソース基地局のセルのセカンダリセルであり、ターゲット基地局は、アンカーハンドオーバー要求を受信してアンカーハンドオーバーを確認する操作を実施し、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【００７７】
本発明の実施例において、方法２００はＳ２０３〜Ｓ２０４をさらに含む。
【００７８】
Ｓ２０３において、該ターゲット基地局は、該端末と無線リソース制御（ＲＲＣ）接続制御リンクに確立する。
【００７９】
ここで、Ｓ２０３は方法１００のＳ１１０に対応し、それに関する具体的な実現方法はここで省略する。
【００８０】
Ｓ２０４において、該ターゲット基地局は、該端末に非アクティブメッセージを送信し、該非アクティブメッセージは、該端末が該ソース基地局に対して非アクティブを行うように指示するために用いられる。
【００８１】
ここで、Ｓ２０４は方法１００のＳ１１４に対応し、それに関する具体的な実現方法はここで省略する。
【００８２】
本発明の実施例におけるアンカーのハンドオーバー方法において、ターゲット基地局のセルは、ソース基地局のセルのセカンダリセルであり、ターゲット基地局はアンカーハンドオーバー要求の受信、アンカーハンドオーバーの確認、ＲＲＣ接続制御リンクの確立、端末にソース基地局に対して非アクティブを行わせることを通知するなどの操作を実施し、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【００８３】
選択肢として、一つの実施例として、Ｓ２０２においてターゲット基地局がソース基地局にアンカーハンドオーバー確認メッセージを送信した後に、方法２００は、該ターゲット基地局が該端末に指示メッセージを送信することをさらに含み、該指示メッセージは、該ソース基地局の無線リソース制御が解放されること及び／又は該ターゲット基地局の無線リソース制御が構成されることを指示するための情報を含む。該ステップは、方法１００のＳ１１２に対応し、それに関する具体的な実現方法はここで省略する。
【００８４】
方法１００のＳ１１３と対応して、ターゲット基地局は、端末に指示メッセージを送信することは、ターゲット基地局が該ソース基地局によって該端末に該指示メッセージを送信することを含むことができる。
【００８５】
選択肢として、もう一つの実施例として、Ｓ２０１においてターゲット基地局がソース基地局より送信されたアンカーハンドオーバー要求メッセージを受信した後に、Ｓ２０２においてターゲット基地局は該ソース基地局にアンカーハンドオーバー確認メッセージを送信する前に、方法２００は、ターゲット基地局が該ソース基地局より送信された指示メッセージを受信することをさらに含み、該指示メッセージは、該ソース基地局の無線リソース制御が解放されること及び／又は該ターゲット基地局の無線リソース制御が構成されることを指示するための情報を含み、該ターゲット基地局は、該端末に該指示メッセージを転送する。該ステップは、方法１００のＳ１０８に対応し、それに関する具体的な実現方法はここで省略する。
【００８６】
本発明の各実施例において、Ｓ２０１においてターゲット基地局がソース基地局より送信されたアンカーハンドオーバー要求メッセージを受信した後に、該方法２００は、該ターゲット基地局は該アンカーハンドオーバー要求メッセージ基づいて、コアネットワークデバイスに経路転換要求を送信することをさらに含むことができる。該ステップは、方法１００のＳ１０６に対応し、それに関する具体的な実現方法はここで省略する。
【００８７】
本発明の各実施例において、該アンカーハンドオーバー要求メッセージは、該端末のコンテキスト情報、該サービスセルのシステム情報、及び該端末に対する無線リソース構成情報のうちの少なくとも一つを含む。
【００８８】
以下において、ソース基地局側から、本発明の実施例におけるアンカーのハンドオーバー方法３００を説明する。図４に示すように、方法３００は、Ｓ３０１〜Ｓ３０２を含む。
【００８９】
Ｓ３０１において、ソース基地局は、ターゲット基地局にアンカーハンドオーバー要求メッセージを送信し、ここで、該ソース基地局は、現在、端末にサービスを提供する、制御決定権を有するサービスセルに対応する基地局であり、該ターゲット基地局は、該サービスセルにより制御される、現在、該端末にサービスを提供するセカンダリセルに対応する基地局であり、該アンカーハンドオーバー要求メッセージは、制御決定権を該ターゲット基地局に切り替えるように要求するために用いられる。
【００９０】
ここで、Ｓ３０１は、方法１００のＳ１０５に対応し、それに関する具体的な実現方法はここで省略する。
【００９１】
Ｓ３０２において、該ソース基地局は該ターゲット基地局から送信されたアンカーハンドオーバー確認メッセージを受信し、該アンカーハンドオーバー確認メッセージは、該アンカーハンドオーバー要求メッセージを確認するために用いられる。
【００９２】
ここで、Ｓ３０２は、方法１００のＳ１０９に対応し、それに関する具体的な実現方法はここで省略する。
【００９３】
本発明の実施例におけるアンカーのハンドオーバー方法において、ターゲット基地局のセルは、ソース基地局のセルのセカンダリセルであり、ソース基地局は、アンカーハンドオーバーの要求、アンカーハンドオーバー確認の受信を実施し、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【００９４】
選択肢として、一つの実施例として、Ｓ３０１においてソース基地局はターゲット基地局にアンカーハンドオーバー要求メッセージを送信した後に、Ｓ３０２においてソース基地局は該ターゲット基地局から送信されるアンカーハンドオーバー確認メッセージを受信する前に、方法３００は、該ソース基地局は該端末に指示メッセージを送信することをさらに含み、該指示メッセージは、該ソース基地局の無線リソース制御が解放されることと、該ターゲット基地局の無線リソース制御が構成されることを指示するための情報である。
【００９５】
該ステップは、方法１００のＳ１０７に対応し、それに関する具体的な実現方法はここで省略する。
【００９６】
本発明の実施例において、ソース基地局は該端末に指示メッセージを送信することは、該ソース基地局は、該ターゲット基地局によって該端末に該指示メッセージを送信することを含むことができる。該ステップは、方法１００のＳ１０８に対応し、それに関する具体的な実現方法はここで省略する。
【００９７】
選択肢として、もう一つの実施例として、Ｓ３０２においてソース基地局が該ターゲット基地局より送信されたアンカーハンドオーバー確認メッセージを受信した後に、該方法３００は、該ソース基地局は該ターゲット基地局より送信された指示メッセージを受信することをさらに含むことが可能であり、該指示メッセージは、該ソース基地局の無線リソース制御が解放されること及び／又は該ターゲット基地局の無線リソース制御が構成されることを指示するための情報であり、該ソース基地局は、該端末に該指示メッセージを転送する。該ステップは、方法１００のＳ１１３に対応し、それに関する具体的な実現方法はここで省略する。
【００９８】
本発明の各実施例において、Ｓ３０１においてソース基地局がターゲット基地局にアンカーハンドオーバー要求メッセージを送信する前に、該方法３００は、該ソース基地局は、該端末より報告された信号強度測定結果を受信することをさらに含むことが可能であり、該信号強度測定結果は、該端末が現在、受信されている該ソース基地局のセルの信号の強度と、該端末が現在、受信されている該ターゲット基地局のセルの信号の強度を含み、該ソース基地局が該信号強度測定結果に基づいて、該端末が該ターゲット基地局にハンドオーバーする必要がることを確定した場合、該ソース基地局は、該ターゲット基地局に対応するセルをセカンダリセルとして追加し、該ソース基地局と該ターゲット基地局とが、該端末にユーザーデータを同時に送信することができるようにする。
【００９９】
上記のステップは、方法１００のＳ１０１とＳ１０２とに対応することが可能であり、それに関する具体的な実現方法はここで省略する。
【０１００】
本発明の各実施例において、Ｓ３０２において、ソース基地局が該ターゲット基地局より送信されたアンカーハンドオーバー確認メッセージを受信した後に、該方法３００は、該ソース基地局は該アンカーハンドオーバー確認メッセージに基づいて、コアネットワークデバイスに経路転換要求を送信することをさらに含む。該ステップは、方法１００のＳ１１１に対応することが可能であり、それに関する具体的な実現方法はここで省略する。
【０１０１】
本発明の各実施例において、該アンカーハンドオーバー要求メッセージは、該端末のコンテキスト情報、該サービスセルのシステム情報及び該端末に対する無線リソース構成情報のうちの少なくとも一つを含む。
【０１０２】
端末側から、本発明の実施例におけるアンカーのハンドオーバー方法４００を説明する。図５に示すように、方法４００はＳ４０１〜Ｓ４０２を含む。
【０１０３】
Ｓ４０１において、端末は、ソース基地局又はターゲット基地局より送信された指示メッセージを受信し、該指示メッセージは、該ソース基地局の無線リソース制御が解放されることと、該ターゲット基地局の無線リソース制御が構成されることを指示するための情報であり、ここで、該ソース基地局は、現在、端末にサービスを提供する、制御決定権を有するサービスセルに対応する基地局である。
【０１０４】
ここで、Ｓ４０１は、方法１００のＳ１０７、Ｓ１０８、Ｓ１１２又はＳ１１３に対応し、それに関する具体的な実現方法はここで省略する。
【０１０５】
Ｓ４０２において、該端末は該ターゲット基地局と無線リソース制御（ＲＲＣ）接続制御リンクを確立する。
【０１０６】
ここで、Ｓ４０２は、方法１００のＳ１１０に対応し、それに関する具体的な実現方法はここで省略する。
【０１０７】
本発明の実施例におけるアンカーのハンドオーバー方法において、端末は、ハンドオーバーの過程において、基地局より送信された指示メッセージを受信し、設定を行ってＲＲＣ接続制御リンクを確立し、端末がハンドオーバーすると共に、ユーザーデータを伝送し続けることができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【０１０８】
本発明の実施例において、方法４００は、さらにＳ４０３〜Ｓ４０４をさらに含む。
【０１０９】
Ｓ４０３において、該端末は、該ターゲット基地局より送信された非アクティブメッセージを受信し、該非アクティブメッセージは、該端末が該ソース基地局に対して非アクティブを行うように指示するために用いられる。
【０１１０】
ここで、Ｓ４０２は、方法１００のＳ１１４に対応し、それに関する具体的な実現方法はここで省略する。
【０１１１】
Ｓ４０４において、該端末は、該非アクティブメッセージに基づいて、該ソース基地局に対して非アクティブを行う。
【０１１２】
ここで、Ｓ４０２は、方法１００のＳ１１５に対応し、それに関する具体的な実現方法はここで省略する。
【０１１３】
本発明の実施例におけるアンカーのハンドオーバー方法において、端末は、ハンドオーバーの過程において、基地局より送信された指示メッセージを受信し、設定を行ってＲＲＣ接続制御リンクを確立し、ソース基地局に対して非アクティブを行い、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【０１１４】
本発明の実施例において、Ｓ４０１端末は、ソース基地局又はターゲット基地局より送信された指示メッセージを受信する前に、該方法４００は、
端末が該ソース基地局に信号強度測定結果を報告することをさらに含むことが可能であり、該信号強度測定結果は、該端末が現在、受信されている該ソース基地局のセルの信号の強度と、該端末が現在、受信されている該ターゲット基地局のセルの信号の強度を含む。ソース基地局が該信号強度測定結果に基づいて、該端末が該ターゲット基地局にハンドオーバーする必要がある場合、該ソース基地局は、該ターゲット基地局に対応するセルをセカンダリセルとして追加し、該ソース基地局と該ターゲット基地局とは、該端末にユーザーデータを同時に送信することができるようにする。
【０１１５】
なお、本発明の各実施例において、上記の過程の番号は実行の前後順序を意味とせず、各過程の実行順序は、その機能と自身のロジックによって確定されるべきであり、本発明の実施例の実施過程を制限するものではない。
【０１１６】
以上において本発明の実施例におけるアンカーのハンドオーバー方法を詳しく説明しており、以下において本発明の実施例におけるアンカーのハンドオーバーの基地局と端末を説明する。
【０１１７】
図６は本発明の一つの実施例における基地局５００を示すブロック図である。該基地局５００は、ターゲット基地局であり、基地局５００は、受信モジュール５１０と送信モジュール５２０を含む。
【０１１８】
受信モジュール５１０は、ソース基地局より送信されたアンカーハンドオーバー要求メッセージを受信するように構成され、ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局であり、前記アンカーハンドオーバー要求メッセージは、制御決定権を前記ターゲット基地局に切り替えることを要求するように用いられる。
【０１１９】
送信モジュール５２０は、前記ソース基地局にアンカーハンドオーバー確認メッセージを送信するように構成され、前記アンカーハンドオーバー確認メッセージは、前記受信モジュール５１０で受信された前記アンカーハンドオーバー要求メッセージを確認するために用いられる。
【０１２０】
本発明の実施例における基地局において、ターゲット基地局のセルは、ソース基地局のセルのセカンダリセルであり、ターゲット基地局は、アンカーハンドオーバー要求を受信してアンカーハンドオーバーを確認する操作を実施し、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【０１２１】
選択肢として、本発明の実施例において、前記基地局５００は、処理モジュール５３０をさらに含むことが可能であり、
処理モジュール５３０は、前記端末と無線リソース制御（ＲＲＣ）接続制御リンクを確立するように構成される。
【０１２２】
前記送信モジュール５２０は、
前記端末に非アクティブメッセージを送信するようにさらに構成され、前記非アクティブメッセージは、前記端末が前記ソース基地局に対して非アクティブを行うように指示するために用いられる。
【０１２３】
選択肢として、一つの実施例として、前記送信モジュール５２０は、
前記送信モジュール５２０が前記ソース基地局にアンカーハンドオーバー確認メッセージを送信した後に、前記端末に指示メッセージを送信するようにさらに構成され、前記指示メッセージは、前記ソース基地局の無線リソース制御が解放されること、及び／又は、前記ターゲット基地局の無線リソース制御が構成されることを指示するための情報である。
【０１２４】
選択肢として、前記送信モジュール５２０は、具体的に
前記ソース基地局によって前記端末に前記指示メッセージを送信するように構成されることが可能である。
【０１２５】
選択肢として、もう一つの実施例として、前記受信モジュール５１０は、
前記受信モジュール５１０がソース基地局より送信されたアンカーハンドオーバー要求メッセージを受信した後に、前記送信モジュールが前記ソース基地局にアンカーハンドオーバー確認メッセージを送信する前に、前記ソース基地局より送信された指示メッセージを受信するようにさらに構成されることが可能であり、前記指示メッセージは、前記ソース基地局の無線リソース制御が解放されること、及び／又は、前記ターゲット基地局の無線リソース制御が構成されることを指示するための情報である。
【０１２６】
前記送信モジュール５２０は、
前記端末に前記指示メッセージを転送するようにさらに構成されることが可能である。
【０１２７】
選択肢として、本発明の実施例において、前記送信モジュール５２０は、
前記受信モジュール５１０がソース基地局より送信されたアンカーハンドオーバー要求メッセージを受信した後に、前記アンカーハンドオーバー要求メッセージに基づいて、コアネットワークデバイスに経路転換要求を送信するようにさらに構成されることが可能である。
【０１２８】
選択肢として、本発明の実施例において、前記アンカーハンドオーバー要求メッセージは、前記端末のコンテキスト情報、前記サービスセルのシステム情報、及び前記端末に対する無線リソース構成情報のうちの少なくとも一つを含む。
【０１２９】
なお、本発明の実施例において、受信モジュール５１０は受信機によって実現されても良く、送信モジュール５２０は送信機によって実現されても良く、処理モジュール５３０は、プロセッサによって実現されても良い。図７に示すように、基地局６００はプロセッサ６１０、受信機６２０、送信機６３０及び記憶装置６４０を含むことが可能である。ここで、記憶装置６４０は、プロセッサ６１０により実行されるコード等を記憶するように構成される。
【０１３０】
基地局６００内の各コンポーネントはバスシステム６５０によってカップリンブされており、ここでバスシステム６５０は、データバス以外に、電源バス、制御バス及び状態信号バスを含む。
【０１３１】
図６に示される基地局５００又は図７に示される基地局６００は、前記図１〜図５における実施例で実現される各過程を実現することが可能であり、重複を避けるために、ここで省略する。
【０１３２】
なお、本発明の上記方法の実施例はプロセッサに適用されてもよく、又はプロセッサによって実現されてもよい。プロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０１３３】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０１３４】
図８は、本発明のもう一つの実施例における基地局７００を示すブロック図である。該基地局７００は、ソース基地局でり、基地局７００は、送信モジュール７１０、受信モジュール７２０を含む。
【０１３５】
送信モジュール７１０は、ターゲット基地局にアンカーハンドオーバー要求メッセージを送信するように構成され、ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局であり、前記アンカーハンドオーバー要求メッセージは、制御決定権を前記ターゲット基地局に切り替えることを要求するように用いられる。
【０１３６】
受信モジュール７２０は、前記ターゲット基地局から送信されたアンカーハンドオーバー確認メッセージを受信するように構成され、前記アンカーハンドオーバー確認メッセージは、前記送信モジュール７１０で送信された前記アンカーハンドオーバー要求メッセーをジを確認するために用いられる。
【０１３７】
本発明の実施例における基地局において、ターゲット基地局のセルは、ソース基地局のセルのセカンダリセルであり、ソース基地局は、アンカーハンドオーバーの要求、アンカーハンドオーバー確認の受信を実施し、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【０１３８】
選択肢として、一つの実施例として、前記送信モジュール７１０は、
前記送信モジュール７１０がターゲット基地局にアンカーハンドオーバー要求メッセージを送信した後に、前記受信モジュール７２０が前記ターゲット基地局から送信されたアンカーハンドオーバー確認メッセージを受信する前に、前記端末に指示メッセージを送信するようにさらに構成されることが可能であり、前記指示メッセージは、前記ソース基地局の無線リソース制御が解放されること、及び／又は、前記ターゲット基地局の無線リソース制御が構成されることを指示するための情報である。
【０１３９】
選択肢として、前記送信モジュール７１０は、具体的に、
前記ターゲット基地局によって前記端末に前記指示メッセージを送信するように構成される。
【０１４０】
選択肢として、もう一つの実施例として、前記受信モジュール７２は、
前記受信モジュール７２０が前記ターゲット基地局から送信されたアンカーハンドオーバー確認メッセージを受信した後に、前記ターゲット基地局より送信された指示メッセージを受信するようにさらに構成されることが可能であり、前記指示メッセージは、前記ソース基地局の無線リソース制御が解放されること、及び／又は、前記ターゲット基地局の無線リソース制御が構成されることを指示するための情報である。
【０１４１】
前記送信モジュール７１０は、
前記端末に前記指示メッセージを送信するようにさらに構成されることが可能である。
【０１４２】
選択肢として、本発明の実施例において、前記受信モジュール７２０は、
前記送信モジュール７１０がターゲット基地局にアンカーハンドオーバー要求メッセージを送信する前に、前記端末より報告された信号強度測定結果を受信するようにさらに構成されることが可能であり、前記信号強度測定結果は、前記端末が現在、受信されている前記ソース基地局のセルの信号の強度と、前記端末が現在、受信されている前記ターゲット基地局のセルの信号の強度とを含む。
【０１４３】
前記基地局７００は、処理モジュール７３０をさらに含むことが可能である。
【０１４４】
処理モジュール７３０は、前記信号強度測定結果に基づいて、前記端末がアンカーを前記ターゲット基地局にハンドオーバーる必要があると確定した場合、前記ターゲット基地局に対応するセルをセカンダリセルとして追加するように構成され、前記ソース基地局と前記ターゲット基地局とが、前記端末にユーザーデータを同時に送信することができるようにする。
【０１４５】
選択肢として、本発明の実施例において、前記送信モジュール７１０は、
前記受信モジュール７２０が前記ターゲット基地局から送信されたアンカーハンドオーバー確認メッセージを受信した後に、前記アンカーハンドオーバー確認メッセージに基づいて、コアネットワークデバイスに経路転換要求を送信するようにさらに構成されることが可能である。
【０１４６】
選択肢として、本発明の実施例において、前記アンカーハンドオーバー要求メッセージは、前記端末のコンテキスト情報、前記サービスセルのシステム情報、及び前記端末に対する無線リソース構成情報のうちの少なくとも一つを含む。
【０１４７】
なお、本発明の実施例において、受信モジュール７２０は、受信機により実現されていも良く、送信モジュール７１０は、送信機により実現されていも良く、処理モジュール７３０は、プロセッサにより実現されていも良い。図９に示すように、基地局８００は、プロセッサ８１０、受信機８２０、送信機８３０、及び記憶装置８４０を含むことが可能である。ここで、記憶装置８４０は、プロセッサ８１０に実行されるコード等を記憶するように用いられることが可能である。
【０１４８】
基地局８００内の各コンポーネントはバスシステム８５０によってカップリンブされており、ここでバスシステム８５０は、データバス以外に、電源バス、制御バス及び状態信号バスを含む。
【０１４９】
図８に示される基地局７００又は図９に示される基地局８００は、前記図１〜図５における実施例で実現される各過程を実現することが可能であり、重複を避けるために、ここでそれ以上述べない。
【０１５０】
図１０は、本発明の一つの実施例における端末９００を示すようブロック図である。該端末９００は、受信モジュール９１０、処理モジュール９２０を含む。
【０１５１】
受信モジュール９１０は、ソース基地局又はターゲット基地局より送信された指示メッセージを受信するように構成され、前記指示メッセージは、前記ソース基地局の無線リソース制御が解放されることと、前記ターゲット基地局の無線リソース制御が構成されることとを指示するための情報を含み、ここで、前記ソース基地局は、現在、端末にサービスを提供する、制御決定権を有するサービスセルに対応する基地局であり、前記ターゲット基地局は、前記サービスセルにより制御される、現在、前記端末にサービスを提供するセカンダリセルに対応する基地局である。
【０１５２】
処理モジュール９２０は、前記ターゲット基地局と無線リソース制御（ＲＲＣ）接続制御リンクを確立するように構成される。
【０１５３】
本発明の実施例における端末は、ハンドオーバー過程において、基地局より送信された指示メッセージを受信し、設定を行ってＲＲＣ接続制御リンクを確立し、端末がハンドオーバーすると共に、ユーザーデータを継続して伝送することができるようにして、複数の基地局から制御シグナリングを取得することができ、端末がスムーズにハンドオーバーすることを保証し、ハンドオーバーの遅延を短縮し、ハンドオーバー時のユーザー体験を向上させる。
【０１５４】
選択肢として、本発明の実施例において、前記受信モジュール９１０は、
前記ターゲット基地局より送信された非アクティブメッセージを受信するようにさらに構成されることが可能であり、前記非アクティブメッセージは、前記端末が前記ソース基地局に対して非アクティブを行うように指示するために用いられる。
【０１５５】
前記処理モジュール９２０は、
前記受信モジュール９１０で受信された前記非アクティブメッセージに基づいて、前記ソース基地局に対して非アクティブを行うようにさらに構成されることが可能である。
【０１５６】
選択肢として、本発明の実施例において、前記端末９００は、送信モジュール９３０をさらに含むことが可能である。
【０１５７】
送信モジュール９３０は、前記受信モジュール９１０がソース基地局又はターゲット基地局より送信された指示メッセージを受信する前に、前記ソース基地局に信号強度測定結果を報告するように構成され、前記信号強度測定結果は、前記端末が現在、受信されている前記ソース基地局のセルの信号の強度と、前記端末が現在、受信されている前記ターゲット基地局のセルの信号の強度とを含む。
【０１５８】
なお、本発明の実施例において、受信モジュール９１０は、受信機によって実現されても良く、送信モジュール９３０は送信機によって実現されても良く、処理モジュール９２０はプロセッサによって実現されても良い。図１１に示すように、端末１０００はプロセッサ１０１０、受信機１０２０、送信機１０３０、及び記憶装置１０４０を含むことが可能である。ここで、記憶装置１０４０は、プロセッサ１０１０に実行されるコード等を記憶するように用いられることが可能である。
【０１５９】
端末１０００内の各コンポーネントはバスシステム１０５０によってカップリンブされており、ここでバスシステム１０５０は、データバス以外に、電源バス、制御バス及び状態信号バスを含む。
【０１６０】
図１０に示される端末９００又は図１１に示される端末１０００は、前記図１〜図５における実施例で実現される各過程を実現することが可能であり、重複を避けるために、ここでそれ以上述べない。
【０１６１】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１６２】
当業者は、説明の便利と簡潔上、上記に記載されているシステム、装置及びユニットの具体的な動作については、上記の方法実施例の対応されているフローを参照することができ、ここでそれ以上述べない。
【０１６３】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１６４】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１６５】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１６６】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１６７】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2018536321.tif 000003
【図２Ａ】
2018536321.tif 000004
【図２Ｂ】
2018536321.tif 000005
【図２Ｃ】
2018536321.tif 000006
【図３】
2018536321.tif 000007
【図４】
2018536321.tif 000008
【図５】
2018536321.tif 000009
【図６】
2018536321.tif 000010
【図７】
2018536321.tif 000011
【図８】
2018536321.tif 000012
【図９】
2018536321.tif 000013
【図１０】
2018536321.tif 000014
【図１１】
2018536321.tif 000015
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
ハンドオーバー方法であって、
ターゲット基地局は、ソース基地局より送信されたハンドオーバー要求メッセージを受信することと、
前記ターゲット基地局は、前記ソース基地局にハンドオーバー確認メッセージを送信することと、を含み、
ここで、前記ソース基地局は、現在、端末にサービスを提供しＵＥの無線リソース制御状態を決定する、又は、Ｓ１インターフェースを終了するサービスセルに対応するマスタノード（ＭＮ）であり、前記ターゲット基地局は、前記サービスセルにより制御される、現在、前記端末にサービスを提供する少なくとも１つのセカンダリセルに対応するセカンダリノード（ＳＮ）であり、前記少なくとも１つのセカンダリセルは、マスタセカンダリセル及びセカンダリセルを含み、前記ハンドオーバー要求メッセージは、ＲＲＣ状態決定制御又はＳ１終了を前記ターゲット基地局に切り替えることを要求するように用いられ、前記ハンドオーバー確認メッセージは、前記ハンドオーバー要求メッセージを確認するように用いられる、
ことを特徴とする前記ハンドオーバー方法。
【請求項２】
前記ターゲット基地局は、前記端末と無線リソース制御（ＲＲＣ）接続制御を確立することと、
前記ターゲット基地局は、前記端末に非アクティブメッセージを送信することと、をさらに含み、
前記非アクティブメッセージは、前記端末が前記ソース基地局に対して非アクティブを行うように指示するために用いられる、
ことを特徴とする請求項１に記載のハンドオーバー方法。
【請求項３】
前記ターゲット基地局は、前記ソース基地局にハンドオーバー確認メッセージを送信した後に、
前記ターゲット基地局は、前記端末に指示メッセージを送信することをさらに含み、
前記指示メッセージは、前記ソース基地局の無線リソース制御が解放されること、及び／又は、前記ターゲット基地局の無線リソース制御が構成されることを指示するための情報である、
ことを特徴とする請求項１又は２に記載のハンドオーバー方法。
【請求項４】
前記ターゲット基地局は、前記端末に指示メッセージを送信することは、
前記ターゲット基地局は、前記ソース基地局によって前記端末に前記指示メッセージを送信することを含む、
ことを特徴とする請求項３に記載のハンドオーバー方法。
【請求項５】
前記ターゲット基地局は、ソース基地局より送信されたハンドオーバー要求メッセージを受信した後に、前記ターゲット基地局は、前記ソース基地局にハンドオーバー確認メッセージを送信する前に、
前記ターゲット基地局は、前記ソース基地局より送信された指示メッセージを受信することをさらに含み、
前記指示メッセージは、前記ソース基地局の無線リソース制御が解放されること、及び／又は、前記ターゲット基地局の無線リソース制御が構成されることを指示するための情報である、
ことを特徴とする請求項１又は２に記載のハンドオーバー方法。
【請求項６】
前記ターゲット基地局は、ソース基地局より送信されたハンドオーバー要求メッセージを受信した後に、
前記ターゲット基地局は、前記ハンドオーバー要求メッセージに基づいて、コアネットワークデバイスに経路転換要求を送信することをさらに含む、
ことを特徴とする請求項１に記載のハンドオーバー方法。
【請求項７】
前記ハンドオーバー要求メッセージは、前記端末のコンテキスト情報、前記サービスセルのシステム情報、及び前記端末に対する無線リソース構成情報のうちの少なくとも一つを含む、
ことを特徴とする請求項１に記載のハンドオーバー方法。
【請求項８】
ハンドオーバー方法であって、
ソース基地局は、ターゲット基地局にハンドオーバー要求メッセージを送信することと、
前記ソース基地局は、前記ターゲット基地局より送信されたハンドオーバー確認メッセージを受信することと、を含み、
ここで、前記ソース基地局は、現在、端末にサービスを提供し無線リソース制御（ＲＲＣ）状態を決定する、又は、Ｓ１インターフェースを終了するサービスセルに対応するマスタノード（ＭＮ）であり、前記ターゲット基地局は、前記サービスセルにより制御される、現在、前記端末にサービスを提供する少なくとも１つのセカンダリセルに対応するセカンダリノード（ＳＮ）であり、前記少なくとも１つのセカンダリセルは、マスタセカンダリセル及びセカンダリセルを含み、前記ハンドオーバー要求メッセージは、ＲＲＣ状態決定制御又はＳ１終了を前記ターゲット基地局に切り替えることを要求するように用いられ、前記ハンドオーバー確認メッセージは、前記ハンドオーバー要求メッセージを確認するように用いられる、
ことを特徴とする前記ハンドオーバー方法。
【請求項９】
前記ソース基地局は、ターゲット基地局にハンドオーバー要求メッセージを送信した後に、前記ソース基地局は、前記ターゲット基地局より送信されたハンドオーバー確認メッセージを受信する前に、
前記ソース基地局は、前記端末に指示メッセージを送信することをさらに含み、
前記指示メッセージは、前記ソース基地局の無線リソース制御が解放されること、及び／又は、前記ターゲット基地局の無線リソース制御が構成されることを指示するための情報である、
ことを特徴とする請求項８に記載のハンドオーバー方法。
【請求項１０】
前記ソース基地局は、前記端末に指示メッセージを送信することは、
前記ソース基地局は、前記ターゲット基地局によって前記端末に前記指示メッセージを送信することを含む、
ことを特徴とする請求項９に記載のハンドオーバー方法。
【請求項１１】
前記ソース基地局は、前記ターゲット基地局より送信されたハンドオーバー確認メッセージを受信した後に、
前記ソース基地局は、前記ターゲット基地局より送信された指示メッセージを受信することと、
前記ソース基地局は、前記端末に前記指示メッセージを転送することと、を含み、
前記指示メッセージは、前記ソース基地局の無線リソース制御が解放されること、及び／又は、前記ターゲット基地局の無線リソース制御が構成されることを指示するための情報である、
ことを特徴とする請求項８に記載のハンドオーバー方法。
【請求項１２】
前記ソース基地局は、ターゲット基地局にハンドオーバー要求メッセージを送信する前に、
前記ソース基地局は、前記端末より報告された信号強度測定結果を受信することと、
前記ソース基地局は、前記信号強度測定結果に基づいて、前記端末が前記ターゲット基地局にハンドオーバーする必要があると確定した場合、前記ソース基地局は、前記ターゲット基地局を、少なくとも１つのセカンダリセルを含むセカンダリノードとして追加し、前記ソース基地局と前記ターゲット基地局とが、前記端末にユーザーデータを同時に送信することができるようにすることと、を含み、
前記信号強度測定結果は、前記端末が現在、受信されている前記ソース基地局のセルの信号の強度と、前記端末が現在、受信されている前記ターゲット基地局のセルの信号の強度とを含む、
ことを特徴とする請求項８〜１１のいずれか１項に記載のハンドオーバー方法。
【請求項１３】
前記ソース基地局は、前記ターゲット基地局より送信されたハンドオーバー確認メッセージを受信した後に、
前記ソース基地局は、前記ハンドオーバー確認メッセージに基づいて、コアネットワークデバイスに経路転換要求を送信すること、
をさらに含み、
及び／又は
前記ハンドオーバー要求メッセージは、前記端末のコンテキスト情報、前記サービスセルのシステム情報、及び前記端末に対する無線リソース構成情報のうちの少なくとも一つを含む、
ことを特徴とする請求項８〜１２のいずれか１項に記載のハンドオーバー方法。
【請求項１４】
ハンドオーバー方法であって、
端末は、ソース基地局又はターゲット基地局より送信された指示メッセージを受信することと、
前記端末は、前記ターゲット基地局と無線リソース制御（ＲＲＣ）接続制御を確立することと、を含み、
前記指示メッセージは、前記ソース基地局の無線リソース制御（ＲＲＣ）が解放されること、及び／又は、前記ターゲット基地局の無線リソース制御が構成されることを指示するための情報を含み、ここで、前記ソース基地局は、現在、端末にサービスを提供しＵＥのＲＲＣ状態を決定する、又は、Ｓ１インターフェースを終了するサービスセルに対応するマスタノード（ＭＮ）であり、前記ターゲット基地局は、前記サービスセルにより制御される、現在、前記端末にサービスを提供する少なくとも１つのセカンダリセルに対応するセカンダリノード（ＳＮ）であり、前記セカンダリセルは、マスタセカンダリセル及びセカンダリセルを含む、
ことを特徴とする前記ハンドオーバー方法。
【請求項１５】
前記ハンドオーバー方法は、
前記端末は、前記ターゲット基地局より送信された非アクティブメッセージを受信することと、
前記端末は、前記非アクティブメッセージに基づいて、前記ソース基地局に対して非アクティブを行うことと、を含み、
前記非アクティブメッセージは、前記端末が前記ソース基地局に対して非アクティブを行うように指示するために用いられ、
及び／又は、
前記端末は、ソース基地局又はターゲット基地局より送信された指示メッセージを受信する前に、
前記端末は、前記ソース基地局に測定結果を報告することをさらに含み、
前記測定結果は、前記端末が現在、受信されている前記ソース基地局のセルの信号の強度と、前記端末が現在、受信されている前記ターゲット基地局のセルの信号の強度とを含む、
ことを特徴とする請求項１４に記載のハンドオーバー方法。
【国際調査報告】
2018536321.tif 000016
2018536321.tif 000017
2018536321.tif 000018
2018536321.tif 000019